(57)【要約】      （修正有）【課題】容易に製造ができる衝撃吸収機能を有する包装箱を提供する。【解決手段】紙製ブランクを折り畳んで傾斜面１２、傾斜固定片１６を有する身１０と傾斜面２２、傾斜固定片を有する蓋２０からなる包装箱を形成する。傾斜面１２、傾斜固定片１６上に受板４０ａを、傾斜面２２、傾斜固定片１６上に受板４０ｂを設け、受板４０ａ上に物品を載置した後、受板４０ｂで物品を挟み込むように蓋２０を被せることで、受板４０ａ、４０ｂのもつ弾力性が物品に作用するようにする。【選択図】図１
0003145940.tif 000002
【実用新案登録請求の範囲】
【請求項１】
底板周囲縁より傾斜面を有する外側板を設け、内折込片を外側板と内側板で包み、底板に傾斜固定片を差し込むことによって隣接する側壁が連結された身と、天板の周囲縁より傾斜面を有する外側板を設け、内折込片を外側板と内側板で包み、天板に傾斜固定片を差し込むことによって隣接する側壁が連結された蓋からなる単一素材の包装箱。
【請求項２】
請求項１記載の身、蓋のそれぞれの傾斜面と傾斜固定片を支持台として、それぞれに受板を設け、身の受板上に物品を載置し、蓋の受板で物品を挟み込むようにすることで受板のもつ弾力性が物品に作用するようにした単一素材の緩衝機能付き包装箱。
【請求項３】
請求項１記載の身の外側板上端一辺から、蓋の傾斜面の一つが連設されることにより形成される単一素材の身蓋一体型包装箱。
【考案の詳細な説明】
【技術分野】
【０００１】  本考案は、物品への衝撃を吸収する緩衝機能付き包装箱に関する。
【背景技術】
【０００２】  従来、下記特許文献１に緩衝材を有する包装箱が提案されている。この緩衝材はポリウレタン樹脂などの伸縮自在なシートが物品設置部に取り付けられている。緩衝材を天地に設け、物品を挟み込むように設置することで、シートの伸縮性が衝撃を吸収する優れた構造となっている。
【特許文献１】登録実用新案第３１０６０１１号公報
【考案の開示】
【考案が解決しようとする課題】
【０００３】  しかし、緩衝材と伸縮自在なシートの素材が異なり、包装箱を製造する工程とは別に緩衝材に伸縮自在なシートを溶着する工程が必要となることから、製造が容易ではないという問題があった。【０００４】  そこで、本考案は上述の課題を解消すべく案出されたもので、極めて容易に製造ができる緩衝機能を有する包装箱を提供することを課題とする。
【課題を解決するための手段】
【０００５】  上記課題を解決するため、底板１１周囲縁より傾斜面１２を有する外側板１３を設け、内折込片１４を外側板１３と内側板１５で包み、底板１１に傾斜固定片１６を差し込むことによって隣接する側壁が連結された身１０と、天板２１周囲縁より傾斜面２２を有する外側板２３を設け、内折込片２４を外側板２３と内側板２５で包み、天板２１に傾斜固定片２６を差し込むことによって隣接する側壁が連結された蓋２０からなる単一素材の包装箱を形成する。【０００６】  前記、身１０、蓋２０のそれぞれの傾斜面１２、２２と傾斜固定片１６、２６を支持台として、それぞれに受板４０ａ、４０ｂを設け、身１０の受板４０ａ上に物品を載置し、蓋２０の受板４０ｂで物品を挟み込むようにすることで受板４０ａ、４０ｂのもつ弾力性が物品に作用するようにする。【０００７】  更に、前記包装箱の構成に代えて、身１０の外側板１３上端一辺から、蓋２０の傾斜面２２の一つが連設されることにより形成される単一素材の身蓋一体型包装箱３０にすることができる。
【考案の効果】
【０００８】  この包装箱は、物品に対する衝撃を受板の弾力性が吸収する構造となっており、確実に物品を保護することができるという優れた機能を持ちつつも、単一素材による構成となっており、廃棄分別作業が不要となる。また、傾斜面が目に付きやすく、訴求力を持つ包装箱になっている。
【考案を実施するための最良の形態】
【０００９】  本考案の最良の形態は、身１０と蓋２０にそれぞれ傾斜面１２、２２と傾斜固定片１６、２６を有する身蓋一体型包装箱３０を設ける。包装箱３０の傾斜面１２、２２と傾斜固定片１６、２６を支持台として、それぞれに受板４０ａ、４０ｂを設け、身１０の受板４０ａ上に物品を載置し、蓋２０の受板４０ｂで物品を挟み込むようにすることで受板４０ａ、４０ｂのもつ弾力性が物品に作用するようにする。
【実施例】
【００１０】  本考案の基本構成は、紙製ブランクを折り畳んで形成された身１０、蓋２０と紙製ブランクの受板４０ａ、４０ｂからなる（図１参照）。そして、身１０の傾斜面１２及び傾斜固定片１６上に受板４０ａを、蓋２０の傾斜面２２及び傾斜固定片２６上に受板４０ｂを設ける。受板４０ａ上に物品Ｐを載置した後、蓋２０を閉じることで物品Ｐが受板４０ａ、４０ｂによって固定される（図３参照）。【００１１】  身１０は、平面四角形状の底板１１の周辺縁から傾斜面１２を有する外側板１３を延設したもので、内折込片１４を外側板１３と内側板１５で包み、底板１１に傾斜固定片１６を差し込むことによって隣接する外側板１３同士が連結される（図２参照）。図示例では、内折込片１４を外れにくくするために、突部Ａを係止孔Ｂで固定している。【００１２】  蓋２０は、平面四角形状の天板２１の周囲縁から傾斜面２２を有する外側板２３を延設したもので、内折込片２４を外側板２３と内側板２５で包み、天板２１に傾斜固定片２６を差し込むことによって隣接する外側板２３同士が連結される（図２参照）。図示例では、内折込片２４を外れにくくするために、突部Ｃを係止孔Ｄで固定している。【００１３】  受板４０ａは、外側板１３の内周辺とほぼ同寸とすることで、傾斜面１２、傾斜固定片１６が支持台となり、受板４０ａが固定される。更に、受板４０ａの両端に突部Ｇを設け、身１０の係止孔Ｅにて係合させることで、受板４０ａの固定を強固なものとしている。また、四隅に切欠Ｈを設けることで、受板４０ａの設置、抜き取りを容易にしている（図４参照）。【００１４】  受板４０ｂは上記受板４０ａと同様の形状であって、外側板２３の内周辺とほぼ同寸とし、係止孔Ｆにて固定する。四隅に切欠を設けることで、受板４０ｂの設置、抜き取りを容易にする。【００１５】  第一実施例では、身１０の外側板１３上端一辺から、蓋２０の傾斜面２２の一つが連設されることにより身蓋一体型の包装箱３０となっている（図１、図２参照）。【００１６】  第二実施例として内側板２５より傾斜固定片２６を延設すると共に、受板４０ｂを延設することが可能である（図５参照）。受板４０ｂと蓋２０が一体化される。身１０の傾斜面１２、傾斜固定片１６上に設ける受板４０ａは第一実施例と同様のものである。第一実施例同様に、身蓋一体型の包装箱となっている。【００１７】  第三実施例として、身１０と蓋２０を別個に設けることが可能である（図６、図７参照）。上記第一実施例と同様に、身１０、蓋２０にそれぞれ受板４０ａ、４０ｂを設けている。【００１８】  本考案の使用方法は、身１０の受板４０ａ上に物品Ｐを載置し、蓋２０を被せることで、受板４０ｂで物品Ｐを挟み込むように固定され、受板４０ａ、４０ｂのもつ弾力性が物品に作用するようにする（図３参照）。【００１９】  いずれも本考案の一実施例に過ぎず、身１０や蓋２０、あるいは受板４０ａ、４０ｂの設計変更等は自由であり、外観形状やサイズなどの設計変更も可能であるなど、本考案の要旨を変更しない範囲において自由に変更することができる。
【図面の簡単な説明】
【００２０】
【図１】本考案の第一実施例を示す斜視図である。
【図２】本考案の第一実施例を示す展開図である。
【図３】本考案の第一実施例の収納状態を示す要部断面図である。
【図４】本考案の受板の一実施例を示す平面図である。
【図５】本考案の第二実施例を示す展開図である。
【図６】本考案の第三実施例を示す展開図である。
【図７】本考案の第三実施例を示す斜視図である。
【符号の説明】
【００２１】１０  身
１１  底板
１２  傾斜面
１３  外側板
１４  内折込片
１５  内側板
１６  傾斜固定片
２０  蓋
２１  天板
２２  傾斜面
２３  外側板
２４  内折込片
２５  内側板
２６  傾斜固定片
３０  身蓋一体型包装箱
４０ａ  受板
４０ｂ  受板
Ａ  突部
Ｂ  係止孔
Ｃ  突部
Ｄ  係止孔
Ｅ  係止孔
Ｆ  係止孔
Ｇ  突部
Ｈ  切欠
【図１】
0003145940.tif 000003
【図２】
0003145940.tif 000004
【図３】
0003145940.tif 000005
【図４】
0003145940.tif 000006
【図５】
0003145940.tif 000007
【図６】
0003145940.tif 000008
【図７】
0003145940.tif 000009